(57)【要約】【課題】受電装置へ非接触で送電する送電装置において電磁ノイズを抑制する。【解決手段】電力線は、フィルタコイル３３０Ａ，３３０Ｂの第１の側（Ｗ方向）に配設される。Ｙコンデンサ３３０Ｅの中点が接続されるターミナル３７４、及びＹコンデンサ３６０の中点が接続されるターミナル３７２は、フィルタコイル３３０Ａ，３３０Ｂの第２の側（Ｅ方向）に配設される。ノイズ帰還線３３４は、ターミナル３７２とターミナル３７４とを接続する。ノイズ帰還線３３４は、ターミナル３７２から、フィルタコイル３３０Ａ，３３０Ｂの第１の側を迂回して、ターミナル３７４まで配設される。【選択図】図７
2020129865.tif 000002
【特許請求の範囲】
【請求項１】
電源から第１の電力線を通じて供給される電力を送電電力に変換するインバータと、
前記インバータから第２の電力線を通じて受ける前記送電電力を、受電装置の受電コイルへ非接触で送電するように構成された送電コイルと、
前記第２の電力線に設けられるフィルタコイルと、
前記フィルタコイルと前記送電コイルとの間において前記第２の電力線に接続される第１のＹコンデンサと、
前記第１の電力線に接続される第２のＹコンデンサとを備え、
前記第１のＹコンデンサ及び前記第２のＹコンデンサの各々は、グラウンドと非接続であり、さらに、
前記第１のＹコンデンサの中点と前記第２のＹコンデンサの中点とを接続するノイズ帰還線を備え、
前記第２の電力線は、前記フィルタコイルに対する第１の側と、前記フィルタコイルに対して前記第１の側とは反対側の第２の側とのうちの前記第１の側に配設され、
前記ノイズ帰還線は、前記第１の側と前記第２の側とのうちの前記第１の側に配設される、送電装置。
【請求項２】
前記第１のＹコンデンサの中点が接続される第１の端子と、
前記第２のＹコンデンサの中点が接続される第２の端子とをさらに備え、
前記ノイズ帰還線は、前記第１の端子と前記第２の端子とを接続し、
前記第１の端子及び前記第２の端子は、前記第２の側に配設され、
前記ノイズ帰還線は、前記第１の端子から前記フィルタコイルに対して前記第１の側を迂回して前記第２の端子まで配設されている、請求項１に記載の送電装置。
【請求項３】
前記第１のＹコンデンサの中点が接続される第１の端子と、
前記第２のＹコンデンサの中点が接続される第２の端子とをさらに備え、
前記ノイズ帰還線は、前記第１の端子と前記第２の端子とを接続し、
前記第１の端子は、前記フィルタコイルに対する第３の側に配設され、
前記第２の端子は、前記フィルタコイルに対して前記第３の側とは反対側の第４の側に配設される、請求項１に記載の送電装置。
【発明の詳細な説明】
【技術分野】
【０００１】
本開示は、受電装置へ非接触で送電する送電装置に関する。
【背景技術】
【０００２】
特開２０１６−２０８５９６号公報（特許文献１）に記載の送電装置では、インバータ１３０と送電部１６０との間の電力線１５８に、ノーマルモードフィルタ１４０、チョークコイル１５１，１５２、及びＹコンデンサ１５３，１５４が設けられる。インバータ１３０の入力側の直流電力線１２５にも、Ｙコンデンサ１７１，１７２が設けられる。Ｙコンデンサ１５３，１５４及びＹコンデンサ１７１，１７２の各々は、筐体１８０（グラウンド）とは非接続であり、Ｙコンデンサ１５３，１５４の中点とＹコンデンサ１７１，１７２の中点とが、電力線１５６（ノイズ帰還線）によって接続されている。このような構成により、インバータ１３０を発生源とする高周波ノイズ（コモンモード電流）が送電部１６０から放射されるのを抑制するとともに電源１９０側へ放出されるのを抑制することができる（特許文献１参照）。
【先行技術文献】
【特許文献】
【０００３】
【特許文献１】特開２０１６−２０８５９６号公報
【特許文献２】特開２００４−１８７４８４号公報
【発明の概要】
【発明が解決しようとする課題】
【０００４】
上記のようなノイズ帰還線を備える送電装置において、送電電力が流れる電力線、フィルタコイル（チョークコイル）、及びノイズ帰還線との配置関係によっては、電磁ノイズが大きくなる可能性がある。具体的には、電力線とノイズ帰還線とによって形成されるループの内側には、ループの外側に対して大きな電磁界が発生することが分かっており、形成されるループの面積が大きいほど、送電装置における電磁ノイズが大きくなる。
【０００５】
本開示は、かかる問題を解決するためになされたものであり、本開示の目的は、受電装置へ非接触で送電する送電装置において、発生する電磁ノイズを抑制することである。
【課題を解決するための手段】
【０００６】
本開示の送電装置は、インバータと、送電コイルと、フィルタコイルと、第１及び第２のＹコンデンサと、ノイズ帰還線とを備える。インバータは、電源から第１の電力線を通じて供給される電力を送電電力に変換する。送電コイルは、インバータから第２の電力線を通じて受ける送電電力を、受電装置の受電コイルへ非接触で送電するように構成される。フィルタコイルは、第２の電力線に設けられる。第１のＹコンデンサは、フィルタコイルと送電コイルとの間において第２の電力線に接続される。第２のＹコンデンサは、第１の電力線に接続される。第１のＹコンデンサ及び第２のＹコンデンサの各々は、グラウンドと非接続である。ノイズ帰還線は、第１のＹコンデンサの中点と第２のＹコンデンサの中点とを接続する。第２の電力線は、フィルタコイルに対する第１の側と、フィルタコイルに対して第１の側とは反対側の第２の側とのうちの第１の側に配設される。ノイズ帰還線は、第１の側と第２の側とのうちの第１の側に配設される。
【０００７】
この送電装置においては、ノイズ帰還線が設けられることにより、インバータを発生源とする高周波ノイズが送電コイルから放射されるのを抑制するとともに電源へ放出されるのを抑制することができる。そして、この送電装置では、ノイズ帰還線は、フィルタコイルに対して電力線と同じ第１の側に配設されるので、ノイズ帰還線を第２の側に配設する場合に比べて、電力線とノイズ帰還線とにより形成されるループの面積を小さくすることができる。したがって、この送電装置によれば、発生する電磁ノイズを抑制することができる。
【０００８】
送電装置は、第１のＹコンデンサの中点が接続される第１の端子と、第２のＹコンデンサの中点が接続される第２の端子とをさらに備え、ノイズ帰還線は、第１の端子と第２の端子とを接続するものとしてもよい。そして、第１の端子及び第２の端子は、第２の側に配設され、ノイズ帰還線は、第１の端子からフィルタコイルに対して第１の側を迂回して第２の端子まで配設されてもよい。
【０００９】
この送電装置では、ノイズ帰還線が接続される第１の端子及び第２の端子は、第２の側に配設されるところ、ノイズ帰還線は、電力線が配設される第１の側を迂回して配設されるので、電力線とノイズ帰還線とにより形成されるループの面積を小さくすることができる。したがって、この送電装置によれば、発生する電磁ノイズを抑制することができる。
【００１０】
また、送電装置は、第１のＹコンデンサの中点が接続される第１の端子と、第２のＹコンデンサの中点が接続される第２の端子とをさらに備え、ノイズ帰還線は、第１の端子と第２の端子とを接続するものとしてもよい。そして、第１の端子は、フィルタコイルに対する第３の側に配設され、第２の端子は、フィルタコイルに対して第３の側とは反対側の第４の側に配設されてもよい。
【００１１】
このような構成により、電力線とノイズ帰還線とにより形成されるループの面積を小さくすることができる。したがって、この送電装置によれば、発生する電磁ノイズを抑制することができる。
【発明の効果】
【００１２】
本開示の送電装置によれば、高周波ノイズが送電コイルから放射されるのを抑制するとともに電源へ放出されるのを抑制することができ、さらに、送電装置において発生する電磁ノイズを抑制することができる。
【図面の簡単な説明】
【００１３】
【図１】本開示の実施の形態１に従う送電装置が適用される電力伝送システムの全体図である。
【図２】図１に示す電力伝送システムの回路構成の一例を示す図である。
【図３】ＡＣフィルタの回路構成の一例を示す図ある。
【図４】ＰＦＣ回路の回路構成の一例を示す図ある。
【図５】インバータの回路構成の一例を示す図ある。
【図６】ノイズ帰還線を設けることによるノイズ低減効果を示す図である。
【図７】送電装置における各機器の配置構成の一例を示す平面図である。
【図８】比較例として示される送電装置における各機器の配置構成を示す平面図である。
【図９】実施の形態２に従う送電装置における各機器の配置構成の一例を示す平面図である。
【図１０】変形例に従う送電装置の回路構成の一例を示す図である。
【発明を実施するための形態】
【００１４】
以下、本開示の実施の形態について、図面を参照しながら詳細に説明する。なお、図中同一又は相当部分には同一符号を付してその説明は繰り返さない。
【００１５】
［実施の形態１］
図１は、本開示の実施の形態１に従う送電装置が適用される電力伝送システムの全体図である。図１を参照して、電力伝送システム１は、電源１００（たとえば商用系統電源）と、充電設備２００と、送電装置３００と、受電装置４００と、蓄電装置５００とを備える。受電装置４００及び蓄電装置５００は、車両１０に搭載されている。
【００１６】
充電設備２００は、たとえば、住宅の駐車場の壁に設けられたり、公共施設の駐車場に充電スタンドとして設置されたりする。充電設備２００は、電源１００から受ける交流電力を整流して送電装置３００へ供給する。
【００１７】
送電装置３００は、住宅や公共施設等の駐車場の床面に設置される。送電装置３００は、車両１０の車体下面に設置された受電装置４００が送電装置３００に対向するように車両１０の位置合わせが行なわれた状態において、充電設備２００から供給される電力を、受電装置４００との間に形成される磁界を通じて非接触で受電装置４００へ送電する。
【００１８】
受電装置４００は、車両１０の車体下面に設置され、受電装置４００が送電装置３００に対向するように車両１０の位置合わせが行なわれた状態において、送電装置３００から磁界を通じて非接触で受電する。そして、受電装置４００は、送電装置３００から受電した電力を整流して蓄電装置５００へ出力する。
【００１９】
蓄電装置５００は、再充電可能な電力貯蔵要素である。蓄電装置５００は、たとえば、リチウムイオン電池或いはニッケル水素電池等の二次電池や、電気二重層キャパシタ等の蓄電素子を含んで構成される。なお、リチウムイオン二次電池は、リチウムを電荷担体とする二次電池であり、電解質が液体の一般的なリチウムイオン二次電池の他、固体の電解質を用いた所謂全固体電池も含み得る。
【００２０】
蓄電装置５００は、受電装置４００によって受電された電力を蓄える。そして、蓄電装置５００に蓄えられた電力は、図示しない走行用モータ等へ供給され、車両１０の駆動力の生成等に用いられる。
【００２１】
＜電力伝送システムの回路構成＞
図２は、図１に示した電力伝送システム１の回路構成の一例を示す図である。図２を参照して、充電設備２００は、ＡＣフィルタ２１０と、力率改善（ＰＦＣ：Power  Factor  Correction）回路２２０と、キャパシタ２３０とを含む。
【００２２】
ＡＣフィルタ２１０は、電源１００に含まれるノイズ及び送電装置３００が生じるノイズを除去する。ＡＣフィルタ２１０は、接地された充電設備２００の筐体に接続されており、電源１００に含まれているノイズを筐体へ流す。
【００２３】
図３は、ＡＣフィルタ２１０の回路構成の一例を示す図ある。図３を参照して、ＡＣフィルタ２１０は、コモンモードチョークコイル２１２，２１６と、Ｙコンデンサ２１４とを含む。Ｙコンデンサ２１４の中点は、充電設備２００の筐体２１８に接続される。
【００２４】
再び図２を参照して、ＰＦＣ回路２２０は、ＡＣフィルタ２１０を通過した電源１００からの交流電力を整流して送電装置３００へ供給するとともに、入力電流を正弦波に近づけることで力率を改善する。
【００２５】
図４は、ＰＦＣ回路２２０の回路構成の一例を示す図ある。図４を参照して、ＰＦＣ回路２２０は、整流部２２２と、昇圧部２２４とを含む。整流部２２２は、たとえば、４つのダイオードから成るダイオードブリッジ回路によって構成される。昇圧部２２４は、たとえば、リアクトルとスイッチング素子とを含んで構成され、スイッチング素子のオン／オフデューティ比を調整することによって出力電圧を昇圧することができる。なお、ＰＦＣ回路２２０に代えて、力率改善機能を有しない整流器を採用することも可能である。
【００２６】
再び図２を参照して、キャパシタ２３０は、ＰＦＣ回路２２０のスイッチングに伴ない発生するリップル電流を平滑化する。
【００２７】
送電装置３００は、キャパシタ３１０と、インバータ３２０と、フィルタ回路３３０と、送電コイル３５０と、共振キャパシタ３３５，３４０Ａ，３４０Ｂと、Ｙコンデンサ３６０と、ノイズ帰還線３３４とを含む。
【００２８】
キャパシタ３１０は、送電装置３００に入力される直流電力を平滑化する。インバータ３２０は、充電設備２００から受ける電力を、所定の周波数を有する送電電力（交流）に変換し、電力線対３３１Ｐ，３３１Ｎへ出力する。インバータ３２０は、図５に示されるように、たとえば、ＩＧＢＴ（Insulated  Gate  Bipolar  Transistor）、或いはＳｉ，ＳｉＣ，ＧａＮ等のＭＯＳＦＥＴ（Metal  Oxide  Semiconductor  FET）を含む単相ブリッジ回路によって構成される。インバータ３２０のスイッチング制御方式としては、ＰＷＭ（Pulse  Width  Modulation）制御や位相シフト制御等を採用し得る。
【００２９】
再び図２を参照して、フィルタ回路３３０は、インバータ３２０と送電コイル３５０との間の電力線に設けられ、コモンモードチョークコイル３３０Ａと、ノーマルモードチョークコイル３３０Ｂと、Ｙコンデンサ３３０Ｅとを含む。コモンモードチョークコイル３３０Ａは、たとえばリング状のフェライトコアに互いに逆向きに巻回される。ノーマルモードチョークコイル３３０Ｂは、たとえばリング状のフェライトコアに互いに同じ向きに巻回される。
【００３０】
Ｙコンデンサ３３０Ｅは、ノーマルモードチョークコイル３３０Ｂと送電コイル３５０との間に設けられる。Ｙコンデンサ３３０Ｅは、キャパシタ３３０Ｃ，３３０Ｄを含み、キャパシタ３３０Ｃ，３３０Ｄは、それぞれ電力線３３３Ｐ，３３３Ｎに接続される。Ｙコンデンサの中点は、一般的には接地された筐体に接続されるところ、この送電装置３００では、Ｙコンデンサ３３０Ｅの中点は、送電装置３００の筐体（グラウンド）には接続されず、ノイズ帰還線３３４に接続される。ノイズ帰還線３３４については後述する。
【００３１】
送電コイル３５０は、インバータ３２０から送電電力を受け、送電コイル３５０の周囲に生成される磁界を通じて、受電装置４００の受電コイル４１０へ非接触で送電する。送電コイル３５０は、たとえばリッツ線等の銅線によって構成される。共振キャパシタ３４０Ａ，３４０Ｂは、それぞれ送電コイル３５０の一端及び他端に接続され、互いに同等の容量を有する。共振キャパシタ３３５は、送電コイル３５０に並列に接続される。
【００３２】
送電コイル３５０及び共振キャパシタ３３５，３４０Ａ，３４０Ｂは、共振回路を形成する。共振キャパシタ３３５，３４０Ａ，３４０Ｂは、たとえば、セラミックコンデンサやフィルムコンデンサ等によって構成される。なお、共振キャパシタ３３５，３４０Ａ，３４０Ｂの構成は、図示されたものに限定されず、たとえば、共振キャパシタ３３５や、共振キャパシタ３４０Ａ，３４０Ｂの一方を省略してもよい。
【００３３】
Ｙコンデンサ３６０は、インバータ３２０の直流側の電力線に接続される。フィルタ回路３３０のＹコンデンサ３３０Ｅと同様に、Ｙコンデンサ３６０の中点も、送電装置３００の筐体（グラウンド）には接続されず、ノイズ帰還線３３４に接続される。
【００３４】
すなわち、ノイズ帰還線３３４は、Ｙコンデンサ３３０Ｅの中点とＹコンデンサ３６０の中点とを接続する。ノイズ帰還線３３４が設けられることにより、インバータ３２０、フィルタ回路３３０（Ｙキャパシタ３３０Ｅ）、ノイズ帰還線３３４、及びＹコンデンサ３６０を経路とするループが形成される。
【００３５】
このようなループが形成されることにより、インバータ３２０を発生源とする高周波ノイズ（コモンモード電流）をループに沿った範囲に閉じ込めることができるため、高周波ノイズは、送電コイル３５０に流れないだけでなく、送電装置３００の筐体（グラウンド）にも流れない。したがって、高周波ノイズがグラウンド及びＡＣフィルタ２１０を通じて電源１００へ放出されることも抑制できる。
【００３６】
なお、Ｙコンデンサ３３０Ｅは、送電装置３００の筐体（グラウンド）とは非接続であるので、Ｙコンデンサ３３０Ｅに高い電気安全性能は要求されず、Ｙコンデンサ３３０Ｅに対する要求性能を高周波ノイズの抑制に特化できる。したがって、上記のようなノイズ帰還線３３４を設けることにより、Ｙコンデンサ３３０Ｅの低コスト化も実現し得る。
【００３７】
図６は、ノイズ帰還線３３４を設けることによるノイズ低減効果を示す図である。図６において、左図は、比較例として、ノイズ帰還線３３４（及びＹキャパシタ３６０）が設けられない場合の、ＡＣフィルタ２１０入力側の電圧ＶＡＣの周波数解析結果を示す。右図は、本実施の形態１における電圧ＶＡＣの周波数解析結果を示す。
【００３８】
図６を参照して、両図の電圧ＶＡＣのピークを比較すると、ノイズ帰還線３３４を設けることにより、高周波領域におけるピーク（高周波ノイズ）が抑制されている。
【００３９】
再び図２を参照して、車両１０に搭載される受電装置４００は、受電コイル４１０と、共振キャパシタ４２０Ａ，４２０Ｂ，４３１と、ＡＣフィルタ４３０と、整流回路４４０と、キャパシタ４５０とを含む。
【００４０】
受電コイル４１０は、送電装置３００の送電コイル３５０との間に形成される磁界を通じて、送電コイル３５０から非接触で受電する。受電コイル４１０は、たとえばリッツ線等の銅線によって構成される。共振キャパシタ４２０Ａ，４２０Ｂは、それぞれ受電コイル４１０の一端及び他端に接続され、互いに同等の容量を有する。共振キャパシタ４３１は、受電コイル４１０に並列に接続される。
【００４１】
受電コイル４１０及び共振キャパシタ４２０Ａ，４２０Ｂ，４３１は、共振回路を形成する。共振キャパシタ４２０Ａ，４２０Ｂ，４３１は、たとえば、セラミックコンデンサやフィルムコンデンサ等によって構成される。なお、共振キャパシタ４２０Ａ，４２０Ｂ，４３１の構成は、図示されたものに限定されず、たとえば、共振キャパシタ４３１や、共振キャパシタ４２０Ａ，４２０Ｂの一方を省略してもよい。
【００４２】
ＡＣフィルタ４３０は、受電コイル４１０による受電時に発生するノイズを抑制する。ＡＣフィルタ４３０は、たとえばコイルとキャパシタとを含むＬＣフィルタによって構成される。
【００４３】
整流回路４４０は、受電コイル４１０によって受電された交流電力を整流して蓄電装置５００へ出力する。整流回路４４０は、たとえば、４つのダイオードから成るダイオードブリッジ回路を含んで構成される。キャパシタ４５０は、整流回路４４０の出力側に設けられ、整流回路４４０から出力される電圧を平滑化する。キャパシタ４５０は、たとえば、電解コンデンサやフィルムコンデンサ等によって構成される。
【００４４】
＜送電装置の各機器の配置構成＞
上記のような送電装置において、インバータと送電コイルとの間の電力線（図２の送電装置３００では、電力線３３１Ｐ〜３３３Ｐ，３３１Ｎ〜３３３Ｎ）、フィルタコイル（図２の送電装置３００では、コモンモードチョークコイル３３０Ａ及びノーマルモードチョークコイル３３０Ｂ）、及びノイズ帰還線との配置関係によっては、送電装置における電磁ノイズが大きくなる可能性がある。
【００４５】
具体的には、送電装置において、インバータを発生源とする高周波ノイズ（コモンモード電流）が重畳する電力線とノイズ帰還線とによって形成されるループの内側には、当該ループの外側に対して大きな電磁界が発生することが分かっている。このため、ノイズ帰還線を設けることにより形成されるループの面積が大きいほど、送電装置における電磁ノイズが大きくなる。そこで、この実施の形態１に従う送電装置３００では、ノイズ帰還線３３４を設けることにより形成されるループの面積を小さくするための方策が採られる。これにより、送電装置３００における電磁ノイズの抑制が図られる。
【００４６】
図７は、送電装置３００における各機器の配置構成の一例を示す平面図である。なお、説明の関係上、送電コイル３５０は図示しておらず、実際には、各機器が配置される基板の上方（紙面手前側）に、金属板を介して送電コイル３５０が配置される。また、説明の便宜上、送電装置３００において方向Ｎ，Ｓ，Ｅ，Ｗを図示のように定義する。
【００４７】
図７とともに図２を参照して、送電装置３００の各機器は、筐体３７８内に収容されている。キャパシタ３１０、Ｙコンデンサ３６０、ターミナル３７２、及びインバータ３２０は、送電装置３００内のＳ方向寄りに配置されている。ターミナル３７２には、Ｙコンデンサ３６０の中点が電気的に接続される。
【００４８】
フィルタコイル（コモンモードチョークコイル３３０Ａ及びノーマルモードチョークコイル３３０Ｂ）は、インバータ３２０のＮ方向であって、送電装置３００内のＷ方向寄りに配置されている。
【００４９】
共振キャパシタ３４０Ａ，３４０Ｂは、フィルタコイルのＥ方向に配置されている。Ｙコンデンサ３３０Ｅ（キャパシタ３３０Ｃ，３３０Ｄ）及びターミナル３７４は、共振キャパシタ３４０Ａ，３４０ＢのＮ方向に配置されている。ターミナル３７４には、Ｙコンデンサ３３０Ｅの中点が電気的に接続される。なお、端子台３７６には、図示しない送電コイル３５０が電気的に接続される。
【００５０】
電力線３３１Ｐ，３３１Ｎの一部及び電力線３３３Ｐ，３３３Ｎの一部を除く電力線３３１Ｐ〜３３３Ｐ，３３１Ｎ〜３３３Ｎの多くの部分は、フィルタコイルのＷ方向に配設されている。すなわち、送電装置３００内を、フィルタコイルのＷ方向の領域（フィルタコイルに対する「第１の側」と称する。）と、フィルタコイルのＥ方向の領域（フィルタコイルに対する「第２の側」と称する。）とに分けた場合に、電力線３３１Ｐ〜３３３Ｐ，３３１Ｎ〜３３３Ｎの大部分は、フィルタコイルの第１の側に配設されている。
【００５１】
一方、Ｙコンデンサ３６０の中点が接続されるターミナル３７２、及びＹコンデンサ３３０Ｅの中点が接続されるターミナル３７４は、フィルタコイルの第２の側に配設されている。そして、ノイズ帰還線３３４は、ターミナル３７２とターミナル３７４とを接続するところ、この実施の形態１に従う送電装置３００では、ノイズ帰還線３３４は、ターミナル３７２，３７４が設けられている第２の側に配設されるのではなく、ターミナル３７２から、電力線が配設される第１の側を迂回して、ターミナル３７４まで配設される。ノイズ帰還線３３４をこのように配設することにより、電力線とノイズ帰還線３３４とによって形成されるループの面積（斜線領域３８０の面積）を小さくすることができる。
【００５２】
図８は、比較例として示される送電装置における各機器の配置構成を示す平面図である。図８を参照して、この比較例としての送電装置は、図７に示した本実施の形態１に従う送電装置３００とノイズ帰還線３３４の配置が異なるだけであり、ノイズ帰還線３３４以外の各機器の配置は、送電装置３００と同じである。
【００５３】
この送電装置では、ノイズ帰還線３３４は、ターミナル３７２，３７４が設けられているフィルタコイルの第２の側において、フィルタコイルの第１の側を迂回することなくターミナル３７２，３７４間を接続している。これにより、図７に示した送電装置３００と比べて、ノイズ帰還線３３４の配線長は短くできるけれども、電力線とノイズ帰還線３３４とによって形成されるループの面積（斜線領域３８０の面積）が大きくなり、その結果、発生する電磁ノイズが大きくなる。
【００５４】
これに対して、図７に示した本実施の形態１に従う送電装置３００では、電力線が配設されるフィルタコイルの第１の側を迂回するようにノイズ帰還線３３４を配設することにより、図８に示した比較例に対してループ面積を小さくすることができる。その結果、送電装置３００における電磁ノイズを抑制することができる。
【００５５】
［実施の形態２］
実施の形態２は、実施の形態１と送電装置内の機器の配置が異なる。実施の形態２における送電装置の回路構成は、図２に示した送電装置３００と同じである。
【００５６】
図９は、実施の形態２に従う送電装置３００Ａにおける各機器の配置構成の一例を示す平面図である。なお、この図９でも、説明の関係上、送電コイル３５０は図示しておらず、実際には、各機器が配置される基板の上方（紙面手前側）に、金属板を介して送電コイル３５０が配置される。また、この図９でも、説明の便宜上、送電装置３００Ａにおいて方向Ｎ，Ｓ，Ｅ，Ｗを図示のように定義する。
【００５７】
図９とともに図２を参照して、送電装置３００Ａの筐体３７８は、Ｎ−Ｓ方向の長さよりもＥ−Ｗ方向の長さの方が長くなるように形成されている。フィルタコイル（コモンモードチョークコイル３３０Ａ及びノーマルモードチョークコイル３３０Ｂ）は、送電装置３００Ａ内の略中央に配置されている。
【００５８】
そして、キャパシタ３１０、Ｙコンデンサ３６０、ターミナル３７２、及びインバータ３２０は、フィルタコイルのＷ方向に配設されている。一方、共振キャパシタ３４０Ａ，３４０Ｂ、Ｙコンデンサ３３０Ｅ（キャパシタ３３０Ｃ，３３０Ｄ）、及びターミナル３７４は、フィルタコイルのＥ方向に配設されている。
【００５９】
電力線３３３Ｐ，３３３Ｎは、フィルタコイルのＮ方向（この実施の形態２において、フィルタコイルに対する「第１の側」と称する。これに対して、フィルタコイルのＳ方向を、フィルタコイルに対する「第２の側」と称する。）に配設されている。
【００６０】
この実施の形態２では、ノイズ帰還線３３４の一端が接続されるターミナル３７４は、フィルタコイルのＥ方向（この実施の形態２において、フィルタコイルに対する「第３の側」と称する。）に配設されており、ノイズ帰還線３３４の他端が接続されるターミナル３７２は、フィルタコイルのＷ方向（この実施の形態２において、フィルタコイルに対する「第４の側」と称する。）に配設されている。そして、ターミナル３７２とターミナル３７４とを接続するノイズ帰還線３３４は、電力線３３３Ｐ，３３３Ｎが配設されている第１の側に配設される。
【００６１】
この実施の形態２においても、電力線３３３Ｐ，３３３Ｎとノイズ帰還線３３４とがフィルタコイルに対して同じ第１の側に配置される。したがって、この実施の形態２によっても、電力線とノイズ帰還線３３４とによって形成されるループの面積（斜線領域３８０の面積）を小さくすることができる。その結果、送電装置３００Ａにおける電磁ノイズを抑制することができる。
【００６２】
［変形例］
上記の実施の形態１，２では、インバータ３２０の出力側（交流側）に設けられるＹコンデンサ３３０Ｅ（キャパシタ３３０Ｃ，３３０Ｄ）の中点と、インバータ３２０の入力側（直流側）に設けられるＹコンデンサ３６０の中点とをノイズ帰還線３３４によって接続するものとしたが、キャパシタ３３０Ｃとキャパシタ３３０Ｄとでノイズ帰還線を分けてもよい。
【００６３】
図１０は、この変形例に従う送電装置３００Ｂの回路構成の一例を示す図である。図１０を参照して、この送電装置３００Ｂでは、キャパシタ３３０Ｃの一端は、電力線３３３Ｐに接続され、キャパシタ３３０Ｃの他端は、ノイズ帰還線３３４Ａを通じてインバータ３２０の入力側の電力線３６２Ｐに接続される。
【００６４】
一方、キャパシタ３３０Ｄの一端は、電力線３３３Ｎに接続され、キャパシタ３３０Ｄの他端は、ノイズ帰還線３３４Ｂを通じてインバータ３２０の入力側の電力線３６２Ｎに接続される。
【００６５】
そして、特に図示しないが、ノイズ帰還線３３４Ａ，３３４Ｂは、図７及び図９で説明したように、フィルタコイルに対して電力線と同じ側に配設される。これにより、この変形例によっても、電力線とノイズ帰還線３３４Ａ，３３４Ｂとによって形成されるループの面積を抑制することができる。
【００６６】
今回開示された実施の形態は、全ての点で例示であって制限的なものではないと考えられるべきである。本発明の範囲は、上記した実施の形態の説明ではなくて特許請求の範囲によって示され、特許請求の範囲と均等の意味及び範囲内での全ての変更が含まれることが意図される。
【符号の説明】
【００６７】
１  電力伝送システム、１０  車両、１００  電源、２００  充電設備、２１０，４３０  ＡＣフィルタ、２１２，２１６，３３０Ａ  コモンモードチョークコイル、２１４，３３０Ｅ，３６０  Ｙコンデンサ、２１８，３７８  筐体、２２０  ＰＦＣ回路、２２２  整流部、２２４  昇圧部、２３０，３１０，３３０Ｃ，３３０Ｄ，４５０  キャパシタ、３００，３００Ａ，３００Ｂ  送電装置、３２０  インバータ、３３０  フィルタ回路、３３０Ｂ  ノーマルモードチョークコイル、３３１Ｐ〜３３３Ｐ，３３１Ｎ〜３３３Ｎ，３６２Ｐ，３６２Ｎ  電力線、３３４，３３４Ａ，３３４Ｂ  ノイズ帰還線、３３５，３４０Ａ，３４０Ｂ，４２０Ａ，４２０Ｂ，４３１  共振キャパシタ、３５０  送電コイル、３７２，３７４  ターミナル、３７６  端子台、４００  受電装置、４１０  受電コイル、４４０  整流回路、５００  蓄電装置。
【図１】
2020129865.tif 000003
【図２】
2020129865.tif 000004
【図３】
2020129865.tif 000005
【図４】
2020129865.tif 000006
【図５】
2020129865.tif 000007
【図６】
2020129865.tif 000008
【図７】
2020129865.tif 000009
【図８】
2020129865.tif 000010
【図９】
2020129865.tif 000011
【図１０】
2020129865.tif 000012